(57)【要約】【課題】液体を注ぐ時に安定した注ぎ方を出来るように、カップなどの淵に固定出来るようにした計量ボトルを作る。しっかりと最後まで少量でも計量出来る計量ボトルを作る。薬以外にも、食料品や洗剤などの液体、顆粒、粉体などを容器の中で直接計量して計りいれることが出来るボトルなどの容器を作る。【解決手段】注ぎ口をボトルの上部左右、どちらかの端に取り付けることにより、ボトル本体と注ぎ口との境の溝をコップなどの淵に固定できるようにする。少量残った場合の計量線をボトルを横にした場合の外側に平行に付けずに、ボトルの底部で残った液体をボトルを少し斜めに引き戻した状態で計量する線をボトル底部に対し斜めに付ける。２００ＣＣ〜５００ＣＣ位の容量のプラスチック、ポリエチレン−テレフタレート樹脂などで出来た注ぎ口を目的別に変えた計量線付き透明なボトルを作る。【選択図】図１
2011126595.tif 000002
【特許請求の範囲】
【発明の詳細な説明】
【技術分野】
【０００１】  本発明は、液体を注ぐ時に、容量を決めて注げることを可能にしたボトルに関するものである。
【背景技術】
【０００２】  従来の計量線付きのシロップ薬などを入れるために用いられるボトルは、底面に平行に計量線が付けられているため、コップなどに液体を注いでから後、水平な場所に置いて、液体をどれ位注いだかを確認していた。【０００３】  そのため、注いだ液体の量は、注いだ後でないと確認出来ないため、注ぎ過ぎたり、また少ない場合は、何度か注ぎ直さなくてはならないため、不便かつ正確に計ることが出来なかった。【０００４】  また、薬などの場合は、注ぎ過ぎた時には、もう一度ボトルの中に戻すと、不衛生になり、そのまま無駄になったり、また薬が足らなくなることも多々ある。【０００５】  薬などの場合は、正確さを要求される物であり、また液体の薬などの場合は、小さな子供向けの薬が多いため、少量でも計り間違えたりすると、危険を伴う場合もある。【０００６】  特に小さな子供の薬などは、少量を目分量で注ぐため、殆どの場合、少しずつを注ぎながら、何度も水平な場所に置き直してその量を確かめなくてはならず不便であり、そして的確な量で計れない場合が多い。【０００７】  また、次回に注ぐ時に注ぎ始めの線を見落としていたり、忘れていたりすることがあり、不便である以上に、知らずに多くを注いでいても気づかず危険である。人によっては、毎回注いだ後の線にマジックペンなどで、マーキングしていないと忘れてしまうということを聞く。薬などを扱うボトルがこのままでは、危惧される。【０００８】  従来の計量ボトルは、大抵が薬用であり、よって日光が直接当たらないように半透明な白色のプラスチックボトルが殆どであり、中の液体を着色して判別し易いようにしている。しかしながら、計量を要する液体は、薬だけに止まらない。【０００９】  今まで醤油やオイルなど、また砂糖などの顆粒や粉体に至っても、計量して注ぐことはあるのだが、ボトルなどの容器から直接計り入れることが出来る計量容器が無かった。よって調理において、いちいち計量カップや計量スプーンなどを用いて計っており、カップを使うほどではないが入れる容量などが多い場合では、何度もスプーンで計量しなければならず、不便である。【００１０】  また、大さじの計量スプーンであっても１５ＣＣであるため容量は小さく、ボトルなどからスプーンに注ぐにあたって、手元が狂い易く、こぼれやすく、不便であった。また、何度も他の調理にも使うため、いちいちスプーンを洗ったりする手間も掛かっている。【００１１】  計量しない場合は、直接容器から入れているのだが、殆どが目分量であり、そのため、入れ過ぎなどで、塩分や糖分の取り過ぎなどが多々ある。よって、腎臓病や糖尿病などの人にとっては危険であり、健常人にとっても身体に悪影響を及ぼし易い。【００１２】  「特許文献１」実用新案出願公告第八四六八号考案の名称「投薬壜」に関しては、瓶をコップなどに注ぐ際に、注ぎ口の部分が曲面のため、一定箇所に瓶を固定出来ず、不安定であり、注いでいる間に手元がずれたり、時にはそれによって多くを注ぎ入れてしまい、よって注ぎ間違いが起こり易い。【００１３】  また、液体が少量になった時には、この瓶では、少量の時の計量線が、瓶を横にした時の下部と平行であり、また、下部から液体上限までの範囲が狭いため見にくく、計りにくく正確さに欠ける。【００１４】  うがい薬などで、斜め線の付いたコップなどがあるが、これに関しては、コップとして平面に置いて液体を注がれる方であるからして、液体の計量には、そのまま底面と平行に計量の線をいれていれば良いのであって、わざわざ入れた液体をコップを斜めにして見ることは逆に手間になるので必要性が低い。【００１５】  またコップ自体の計量が何種も計量線がついているわけではないので、計る液体の分量ごとに瓶やボトル以外にそろえていなくてはならないので、不便である。もしくは、瓶やボトルに付属させているとしても、瓶やボトルに計量線があれば、コップを限定しなくてすむので、経済的にもまたエコにも繋がる。
【先行技術文献】
【特許文献】
【００１６】
【特許文献１】実用新案出願公告第８４６８号考案の名称「投薬壜」
【発明の概要】
【発明が解決しようとする課題】
【００１７】  本発明は、以上のような従来の欠点に鑑み、第一の課題として、液体を注ぐ時に安定した注ぎ方を出来るように、カップなどの淵に固定出来るようにした計量ボトルを作り提供する事を目的としている。【００１８】  本発明は、以上のような従来の欠点に鑑み、第二の課題として、しっかりと最後まで少量でも計量出来る計量ボトルを作り提供する事を目的としている。【００１９】  本発明は、以上のような従来の欠点に鑑み、第三の課題として、薬以外にも、食料品や洗剤などの液体、顆粒、粉体などを容器の中で直接計量して計りいれることが出来るボトルなどの容器を作り提供することを目的としている。
【課題を解決するための手段】
【００２０】  第一の課題を解決するための手段として、動きに伴ってボトルや手元が不安定にならないように注ぎ口をボトルの上部左右、どちらかの端に取り付けることにより、ボトル本体と注ぎ口との境の溝をコップなどの淵に固定できるようにすることにより解決させた。【００２１】  第二の課題を解決するための手段として、少量残った場合の計量線をボトルを横にした場合の外側に平行に付けずに、ボトルの底部で残った液体をボトルを少し斜めに引き戻した状態で計量する線をボトル底部に対し斜めに付けることにより解決させた。【００２２】  第三の課題を解決するための手段として、今まで目分量で入れることが多かった醤油、みりん、酒、もしくは顆粒などの砂糖を、容器から直接計り入れることが出来るように、２００ＣＣ〜５００ＣＣ位の容量のプラスチック、ポリエチレン−テレフタレート樹脂などで出来た注ぎ口を目的別に変えた透明なボトルを作り、注ぎ口下から計量出来る計量線をボトルなどの容器本体に付けることにより解決させた。
【発明の効果】
【００２３】  以上の説明から明らかなように、本発明にあっては次に列挙する効果が得られる。【００２４】（１）今までは、注ぎ口が中央にあって、最後に残った液体を注ぎ入れるために、瓶などをさかさまに近い状態で、注ぎ入れていたため、注ぎ過ぎたり、分量が分かりにくかったりしていたが、注ぎ口を左右どちらかの一方にすることにより、瓶などをさかさまにすることなく、横が水平になる程度で、すべてを注ぎ終えることが出来、さかさまにして一気に注ぐことなく、少量ずつ注ぎ易く、薬などの少量を正確にゆっくり注ぐには最適である。【００２５】（２）また、ボトルと本体との境の溝で、注ぎ入れるコップなどの淵に固定出来、それによって、液体を注いでいる間も支点が出来るため、手でボトルを固定することなく、支点にボトルを預け乍ら安定した注ぎ方が出来、不安定なため誤って注ぎ過ぎたりすることを防ぐことが出来、より正確に液体を注ぎ入れることが可能になる。【００２６】（３）最後に残った少量の液体を計るために、少しだけボトルを傾むけることによって、ボトル底部に斜めに付けた線によって、以前のボトルでは、傾けた外側に平行に付けられた線で計量しにくく、見にくかった線よりも、より正確で、見やすくなり、計量し易くなる。それによって、子供用の少量の液体も以前の瓶などの線より、はるかに正確に計量出来ることになる。【００２７】（４）また、注ぎ口とボトルの境から計量線が付けられているので、注ぎ口をコップなどに当てたところから計量を始めることが出来、便利である。【００２８】（５）今までは、半透明の白のプラスチックボトルが日光を当てないため、シロップ薬などのボトルとして主流であったが、日光をさえぎる必要が無い薬以外の食料品や洗剤などの液体や顆粒などに関しては、透明のポリエチレン−テレフタレート樹脂などでボトルを作ることも可能であるので、中の液体が見やすく計量し易くなる。【００２９】（６）また、そのボトルに計量線を付けてあるので、直接はかりいれることが出来るので、注ぎ入れる時に別の計量コップや計量用のさじを用いなくとも良いので便利である。【００３０】（７）計量コップや計量用のさじを使わない場合の殆どは、目分量で入れていたため、入れ過ぎなどで、塩分や糖分の取り過ぎなどが多々あったが、容器で注ぎ入れる時に計量出来るので、入れ過ぎなどを防ぐことが出来、腎臓病や糖尿病はもとより、健常人の健康、未病にも役立つ。
【図面の簡単な説明】
【００３１】
【図１】本発明の注ぎ口をボトル本体の上部左右のどちらか一方に取り付けた図である。
【図２】本発明の少量残った液体の場合の底部に対し斜めに付けた計量線を付けたボトルの図で少量の液体を計っているところである。
【図３】本発明の液体の食品などを入れる注ぎ口を付け、本体に計量線を付けたボトル容器の図である。
【図４】本発明の顆粒などの食品などを入れる注ぎ口を付け、本体に計量線を付けたボトル容器の図である。
【本発明を実施するための形態】
【００３２】  以下、本発明の実施の形態を図に基づいて説明する。
【実施例１】
【００３３】  図１は、ボトルの上部左右どちらか一方に注ぎ口を取り付けたボトルの図である。注ぎ口は回転式キャップになっており、ボトル上部との境は丁度その回転の溝になっており、コップなどの淵に固定出来るようになっている。【００３４】  キャップを閉めた時にボトルの側面と一直線になるようにしており、キャップを開けた時には、少しボトルの内側に入り込むようになっているので、より固定し易い構造となっている。
【実施例２】
【００３５】  図２は、ボトルに付けられた計量線を用いて、実際に計量しながらコップに液体を注ぎ入れているところである。その時に最後に残った少量の液体を計るために少しボトルをもとに戻して、正確に計量できるようにしている図である。【００３６】  最初に入っている液体は斜めにボトルを傾けて計量線に合わせて見ることが容易であるが、少量残った場合は、ボトルを横に傾けているため、そのままを計量線とすると、ボトルの側面に平行に近く、また側面からの線の距離も短いので、液体の残量が見にくく、また手元が少し揺れるだけで液体の上部が変化して計量が正確さに欠ける。よって少し傾けて、ボトルの側面と底面との間に付けられた計量線で計る方がより安定し、正確に計量出来るので、計量線を図２のようにした。
【実施例３】
【００３７】  図３は、醤油などの液体の食品などの計量ボトルの図である。中身が見やすく、また計量し易くなるために、ボトルを透明にした。【００３８】  また、家庭用で用いられる醤油などの容器は１リットル以上のものが多いので、図３は、直接計り入れるのに便利な２００ＣＣ〜５００ＣＣの容器の図である。また、注ぎ口を一度に液体が出ないように細くしている。これによって、女性などは持ち易く、また傾けて注ぎ入れるのに、ゆっくりと注げるので、計量もし易くなる。【００３９】  計量線は、注ぎ口下部からボトル本体に斜めに付けてあり、また最後の残った少量を計り易いように少し傾きを戻して計れるように底部と側面で三角形を作るようにして計量線を付けてある。【００４０】  図４は、顆粒などの粉体を入れる計量ボトルの図である。顆粒や粉体のため、振りながらでないと出にくいので、それを考慮して注ぎ口を液体の食品などに比べ少し広く、また長くしている。長い注ぎ口は熱い液体に振り込む時に蒸気などで中身が湿らないようにするためでもある。【００４１】    また、計量線を注ぎ口下部からボトル本体に斜めに付けてあり、また最後の残った少量を計り易いように少し傾きを戻して計れるように底部と側面で三角形を作るようにして計量線を付けてある。
【産業上の利用可能性】
【００４２】  より正確さを要求される薬などにあって、従来の憶測で注ぎながら、計量するという不正確な計量ボトルに代わって、本発明の計量ボトルは、重要度が高く、従来品と入れ替わって販売出来るものである。【００４３】  薬だけでなく、食品などにおいても、透明で容器で計りいれることが出来るボトルは、調理に便利で、需要が見込まれる。【００４４】  また、液体だけでなく、粉や砂糖、洗剤などの顆粒にも使うことが出来る。よって、計量しながら、砂糖や塩などを入れることが出来るので、腎臓病や糖尿病などの病気の方にも、摂取量を制限しながら簡便に計れて容器としても使えるので、新しい実用計量ボトルとして販売が見込まれる。【００４５】  計量しながら注ぐことが出来るのでダイエットの女性にも需要がみこまれる。
【符号の説明】
【００４６】Ａ  目盛り
【図１】
2011126595.tif 000003
【図２】
2011126595.tif 000004
【図３】
2011126595.tif 000005
【図４】
2011126595.tif 000006
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
動きに伴ってボトルや手元が不安定にならないように注ぎ口をボトルの上部左右、どちらかの端、もしくは両端に取り付けることにより、ボトル本体と注ぎ口との境の溝をコップなどの淵に固定できるようにすることを特徴としたプラスチック、ポリエチレンテレフタレート樹脂などで出来たボトル。
【請求項２】
ボトルの内容物がボトルの底部で少量残った場合に計量する計量線を、ボトルを横にした場合の外側に平行に付けずに、残った内容物を注ぐ場合にボトルを少し斜めに引き戻した状態で計量する線をボトル底部に対し斜めに付けることによって計量することを特徴としたプラスチック、ポリエチレンテレフタレート樹脂などで出来たボトル。
【請求項３】
注ぎ口を目的別に変え、食品などを計りながら注ぐことが出来るようにしたことを特徴とした請求項１または請求項２の２００ＣＣ〜５００ＣＣ位の容量の透明なプラスチック、ポリエチレンテレフタレート樹脂などで出来たボトル。